【事件の表示】
　特許第６７２５９４９号発明「発光ユニットおよび発光ユニットを備える照明装置」の特許異議申立事件について、次のとおり決定する。
【結　論】
　特許第６７２５９４９号の特許請求の範囲を訂正請求書に添付された訂正特許請求の範囲のとおり，訂正後の請求項〔１〜４〕について訂正することを認める。
　特許第６７２５９４９号の請求項１ないし４に係る特許を維持する。
【理　由】
第１　手続の経緯
　特許第６７２５９４９号の請求項１〜４に係る特許についての出願は，平成２７年　７月３０日に出願した特願２０１５−１５０９７９号（以下，「原出願」という。）の一部を令和　１年　８月２２日に新たな特許出願としたものであって，令和　２年　６月３０日にその特許権の設定登録がされ，令和　２年　７月２２日に特許掲載公報が発行された。本件特許異議の申立ての経緯は，次のとおりである。
令和　３年　１月１５日付け　　：　特許異議申立人伊藤直宏（以下，「異議申立人」という。）による請求項１〜４に係る特許に対する特許異議の申立て
令和　３年　４月１３日付け　　：　取消理由通知書
令和　３年　６月　２日付け　　：　特許権者による意見書及び訂正請求書の提出
令和　３年　７月１９日付け　　：　異議申立人による意見書の提出
第２　訂正の適否
１．訂正の内容
　令和　３年　６月２日付けの訂正の請求（以下，「本件訂正請求」という。）による訂正は，特許第６７２５９４９号（以下，「本件特許」という。）の特許請求の範囲を訂正請求書に添付された訂正特許請求の範囲のとおり，訂正後の請求項１〜４について訂正することを求めるものであり，その内容は，以下のとおりである。訂正前の請求項１〜４は，請求項２〜４が，訂正の請求の対象である請求項１の記載を直接的又は間接的に引用する関係にあるから，本件訂正は，一群の請求項１〜４について請求されている。なお，訂正箇所に下線を付した。
（１）訂正事項１
　特許請求の範囲の請求項１に「複数の半導体発光素子と，前記複数の半導体発光素子が実装される発光素子基板と，前記複数の半導体発光素子の電力供給源である電源部と，前記半導体発光素子の発光に関する制御を行う制御部と，前記発光素子基板が取り付けられる第１面と，当該第１面の反対面である第２面であって，前記電源部および前記制御部が設けられる第２面とを有する金属製の支持部材と，を備え，前記制御部は，信号を受信するアンテナと，前記アンテナで受信した信号に応じて前記電源部から供給される電力を制御する無線制御部とを有し，前記無線制御部は基板状であり，前記アンテナは前記無線制御部の基板に実装されており，前記無線制御部は，前記第２面に設けられ，かつ前記支持部材と離間している，発光ユニット。」と記載されているのを，「
造営材に取り付けられた器具本体に取り付けられる発光ユニットであって，
，前
する状態で第１筐体の内部に配置され，前記電源部は，前記第１筐体と離間する第２筐体の内部に配され，前記無線制御部は，前記器具本体を前記造営材に取り付けるための吊りボルトと干渉しない位置に配置されている
２．訂正要件についての判断
（１）訂正事項１
ア．訂正の目的について
（ア）訂正前の請求項１において，発光ユニットと器具本体との関係，無線制御部と電源部の配置関係及び無線制御部と吊りボルトとの配置関係については何ら特定されていない。
　これに対し，訂正後の請求項１は，発光ユニットが「造営材に取り付けられた器具本体に取り付けられる発光ユニット」であること，無線制御部と電源部は，「無線制御部は第１筐体の内部に配置され，電源部は，第１筐体と離間する第２筐体の内部に配される」こと，無線制御部は，「無線制御部は，器具本体を造営材に取り付けるための吊りボルトと干渉しない位置に配置されている」ことを具体的に特定し限定するものであるから，訂正事項１による上記訂正は，特許法第１２０条の５第２項ただし書第１号に規定する特許請求の範囲の減縮を目的とするものである。
（イ）「前記無線制御部は
，前
する状態で第１筐体の内部に配置され
，前
する状態で第１筐体の内部に配置され
（ウ）同様に，訂正後の請求項２〜４は，訂正後の請求項１に記載された「
造営材に取り付けられた器具本体に取り付けられる発光ユニットであって
，前
する状態で第１筐体の内部に配置され，前記電源部は，前記第１筐体と離間する第２筐体の内部に配され，前記無線制御部は，前記器具本体を前記造営材に取り付けるための吊りボルトと干渉しない位置に配置されている，発光ユニット」の下線部分の記載を引用することにより，訂正後の請求項２〜４に係る発明における，発光ユニットと器具本体との関係，無線制御部と電源部の配置関係及び無線制御部と吊りボルトとの配置関係をより具体的に特定し限定するものであり，また，取消理由通知書の理由２において，明確でないとされた訂正前の請求項１の「前記無線制御部は，前記第２面に設けられ，かつ前記支持部材と離間している」の記載を引用する訂正前の請求項２〜４の記載を明瞭にするためのものであるため，訂正事項１による訂正は，特許法第１２０条の５第２項ただし書第１号に規定する特許請求の範囲の減縮と，同項ただし書第３号に規定する明瞭でない記載の釈明とを目的とするものである。
イ．願書に添付した明細書，特許請求の範囲又は図面に記載した事項の範囲内においてした訂正であること
（ア）「造営材に取り付けられた器具本体に取り付けられる発光ユニットであって」の事項 
　訂正前の請求項４には，「前記発光ユニットが取り付けられる器具本体」との記載されている。
　段落【００３０】には，「他の発明の照明装置は，上記に記載の発光ユニットと，
前記発光ユニットが取り付けられる器具本体
　実施形態における一例として，段落【００３６】には，「照明装置１は，照明装置用器具本体（以下，器具本体と記載する）１０と，発光ユニット２０とを備える。
器具本体１０は，例えば天井又は壁等の被取付面に取り付けられる
　実施形態における一例として，段落【００４４】には，「底板部１１４は，
天井や壁等の造営材の被取付面と対向しており，照明装置１を被取付面に取り付ける
　このように，実施形態の一例としても，器具本体が取り付けられる被取付面は造営材の面であり，当該造営材に取り付けられた器具本体に発光ユニットが取り付けられることが把握できる。
　したがって，「造営材に取り付けられた器具本体に取り付けられる発光ユニットであって」は，願書に添付した明細書，特許請求の範囲又は図面に記載した事項の範囲内においてした訂正である。
（イ）「前記無線制御部は
，前
する状態で第１筐体の内部に配置され
　段落【００１０】には，「一実施形態として，前記発光ユニットは，
前記無線制御部を内部に配置する第１筐体
　段落【００２０】には，「一実施形態として，前記支持部材が金属製である場合または少なくとも前記無線制御部が設けられる前記支持部材の位置に金属が設けられている場合に，
前記無線制御部は基板状であり，当該無線制御部が前記支持部材と離間している
　実施形態における一例として，段落【００８９】には，「図４，８，１５に示す通り無線モジュール５０は，発光素子支持部材２４の上面２４ｂに設けられる。
無線モジュール５０は筐体（５ ５， ５６）で覆われた構造であり，
　実施形態における一例として，段落【００９０】には，「無線モジュール５０は，信号を受信するアンテナ６０と，アンテナ６０で受信した信号に応じて電源部２８から発光素子２１へ供給される電力を制御する
無線制御回路５１３(無線制御部に相当する）が実装される無線制御基板５１と，発光素子支持部材２４に取り付けられる筐体本体５６と，無線制御基板５１を内部に配置するように，筐体本体５６に取り付けられる筐体カバー５５とを有する。
　段落【０１０５】には，「また，支柱５５４，十字支柱５５５の高さは同一である。従って，無線制御基板５１は，筐体カバー５５の主面５５２と平行であり，筐体カバー５５の主面５５２(裏面５５２Ｃ）から離れた位置にあり，また，筐体本体５６の取付部５６３からも少なくとも押部５６３ａの高さ分だけ離れた位置に配置される。すなわち，無線制御基板５１を筐体で収納させることで，発光素子支持部材２４や反射板２９から離間させた状態にできるとともに，筐体内においても空間的に離間させた状態に配置させることができる。発光素子支持部材２４や反射板２９は金属製である場合に，無線制御基板５１をそれらから離間（例えば，空間的に離間，電気的に離間）させるように配置させることが好ましい。」と記載されている。
　このように，実施形態の一例としても，第１筐体が筐体本体５６と筐体カバー５５とを有し，無線制御部が実装される無線制御基板５１が，発光素子支持部材２４に取り付けられる筐体本体５６から離間する状態で筐体内に配置されていることが把握できる。
　したがって，「前記無線制御部は
，前
する状態で第１筐体の内部に配置され
（ウ）「前記電源部は，前記第１筐体と離間する第２筐体の内部に配され」の事項
　段落【００１１】には，「一実施形態として，
前記電源部を少なくとも内部に配置する第２筐体を有し，前記第２筐体と前記第１筐体が離間している。
と記載されている。
　実施形態における一例として，段落【００７６】には，「図１３に示すように，
電源部２８は，電源回路を備える電源基板２８ａと
電源基板２８ａ
を内部に収容する電源ボックス２８ｃと
とを有している
　実施形態における一例として，段落【００８９】には，「図４，８，１５に示す通り無線モジュール５０は，発光素子支持部材２４の上面２４ｂに設けられる。
無線モジュール５０は筐体（５５　５６）で覆われた構造であり，別の筐体（電源ボックス２８ｃ）で覆われた電源部２８とは離間している。
　このように，実施形態の一例としても，電源回路を備える電源基板２８ａが電源ボックス２８ｃ内に収容され，電源ボックス２８ｃが，無線モジュール５０に含まれる無線制御部が内部に配された筐体本体５６及び筐体カバー５５と離間していることが把握できる。
　したがって，「前記電源部は，前記第１筐体と離間する第２筐体の内部に配され」の事項は，願書に添付した明細書，特許請求の範囲又は図面に記載した事項の範囲内においてした訂正である。
（エ）「前記無線制御部は，前記器具本体を前記造営材に取り付けるための吊りボルトと干渉しない位置に配置されている」の事項
　実施形態における一例として，段落【００４０】には，「・・・図６（Ａ）及び図６（Ｂ）に示すように，
器具本体１０は，取付部材１１
を備える
取付部材１１には，吊りボルト用孔部１５
　実施形態における一例として，段落【００５３】には，「
吊りボルト用孔部１５は，図４（Ａ）及び図４（Ｂ）に示す吊りボルト３０により天井又は壁等の被取付面に器具本体１０を取り付ける
　段落【０１１５】には，「〔その他〕
無線モジュールは
ボルト３０
と干渉しない位置に設けられることが照明装置の薄型化の観点から好ましい。
　このように，器具本体１０が被取付面である造営材に吊りボルト３０で取り付けられ，無線制御部が吊りボルト３０と干渉にしないように配されていることが把握できる。
　したがって，「前記無線制御部は，前記器具本体を前記造営材に取り付けるための吊りボルトと干渉しない位置に配置されている」の事項は，願書に添付した明細書，特許請求の範囲又は図面に記載した事項の範囲内においてした訂正である。
（オ）以上のことから，訂正事項１は，願書に添付した明細書，特許請求の範囲又は図面に記載した事項の範囲内においてした訂正であり，訂正前の請求項１の記載以外に，訂正前の請求項２〜４の記載について訂正するものではなく，特許法第１２０条の５第９項で準用する特許法第１２６条第５項の規定に適合するものである。
ウ．実質上特許請求の範囲を拡張し，又は変更する訂正でないこと
　上記ア．の理由から明らかなように，訂正事項１は，発光ユニットについての発明特定事項を概念的により下位の「造営材に取り付けられた器具本体に取り付けられる」発光ユニットとし，さらに，無線制御部と電源部との配置位置及び無線制御部と吊りボルトとの配置関係を規定し，無線制御部は第１筐体の内部で支持部材と離間することを明確にするものであり，カテゴリーや対象，目的を変更するものでないから，実質上特許請求の範囲を拡張し，又は，変更するものには該当せず，訂正事項１による訂正は，特許法第１２０条の５第９項で準用する特許法第１２６条第６項の規定に適合するものである。
　訂正事項１は，訂正前の請求項１の記載を引用する訂正前の請求項２〜４の記載についても実質的に訂正するものであるが，上記ア．の理由から明らかなように，訂正後の請求項１の記載は訂正前の請求項１との関係で特許請求の範囲を実質的に拡張し，又は変更するものではない。
　また，訂正事項１は，訂正前の請求項１の記載以外に，訂正前の請求項２〜４の記載について何ら訂正するものではなく，請求項２〜４のカテゴリーや対象，目的を変更するものではない。
　したがって，訂正事項１による訂正は，訂正前の請求項２〜４との関係で，実質上特許請求の範囲を拡張し，又は変更する訂正ではなく，特許法第１２０条の５第９項で準用する特許法第１２６条第６項の規定に適合するものである。
エ．小括
　以上のとおりであるから，訂正事項１による訂正は，特許法第１２０条の５第２項ただし書第１号に規定する特許請求の範囲の減縮と，同項ただし書第３号に規定する明瞭でない記載の釈明とを目的とし，かつ，特許法第１２０条の５第９項で準用する特許法第１２６条第５項及び第６項の規定に適合するものである。
　したがって，特許請求の範囲を訂正請求書に添付された訂正特許請求の範囲のとおり，訂正後の請求項〔１〜４〕について訂正することを認める。
第３　訂正後の本件発明 
　上記「第２」で述べたとおり,本件訂正は認められるので,本件訂正請求により訂正された請求項１〜４に係る発明（以下，「本件発明１〜４」という。）は，訂正特許請求の範囲の請求項１〜４に記載された次の事項により特定されるとおりのものである。
「【請求項１】
　造営材に取り付けられた器具本体に取り付けられる発光ユニットであって，
　複数の半導体発光素子と，
　前記複数の半導体発光素子が実装される発光素子基板と，
　前記複数の半導体発光素子の電力供給源である電源部と，
　前記半導体発光素子の発光に関する制御を行う制御部と，
　前記発光素子基板が取り付けられる第１面と，当該第１面の反対面である第２面であって，前記電源部および前記制御部が設けられる第２面とを有する金属製の支持部材と，を備え，
　前記制御部は，信号を受信するアンテナと，前記アンテナで受信した信号に応じて前記電源部から供給される電力を制御する無線制御部とを有し，
　前記無線制御部は基板状であり，前記アンテナは前記無線制御部の基板に実装されており，
　前記無線制御部は，前記支持部材と離間する状態で第1筐体の内部に配置され，
　前記電源部は，前記第１筐体と離間する第２筐体の内部に配され，
　前記無線制御部は，前記器具本体を前記造営材に取り付けるための吊りボルトと干渉しない位置に配置されている，
　発光ユニット。
【請求項２】
　前記無線制御部の基板面方向は，前記支持部材の前記第１面方向に沿っている，
　請求項１に記載の発光ユニット。
【請求項３】
　前記無線制御部の基板面方向は，前記支持部材の前記第１面方向と平行である，
　請求項２に記載の発光ユニット。
【請求項４】
　請求項１から３のいずれか１項に記載の発光ユニットと，前記発光ユニットが取り付けられる器具本体とを備える照明装置であって，
　前記器具本体は，造営材に取り付けられる取付部材を有する，
　照明装置。」
第４　取消理由通知に記載した取消理由について
１．取消理由の概要
　請求項１〜４に係る特許に対して，当審が令和　３年　４月１３日付けの取消理由通知で特許権者に通知した取消理由の要旨は，次のとおりである。
１）（拡大先願）本件特許の下記の請求項に係る発明は，その出願の日前の特許出願であって，その出願後に特許掲載公報の発行又は出願公開がされた下記の特許出願の願書に最初に添付された明細書，特許請求の範囲又は図面に記載された発明と同一であり，しかも，この出願の発明者がその出願前の特許出願に係る上記の発明をした者と同一ではなく，またこの出願の時において，その出願人が上記特許出願の出願人と同一でもないので，下記の請求項に係る特許は，特許法第２９条の２の規定に違反してされたものであり，取り消されるべきものである。
２）（明確性）本件特許に係る特許出願は，特許請求の範囲の記載が下記の点で，特許法第３６条第６項第２号に規定する要件を満たしていない特許出願に対してされたものであり，取り消されるべきものである。
　　　　　　　　　　　　　　　　　　　　記
＜理由１＞
・請求項　１〜３
・先願　１
引用文献等一覧
１.特願２０１４−１７７３３９号（特開２０１６−５１６５１号）（異議申立人の提出した甲第４号証）
＜理由２＞
　本件特許の請求項１に係る発明において「前記無線制御部は，前記第２面に設けられ，前記支持部材と離間している」と特定されている。
　無線制御部が支持部材の第２面に設けられていることと，支持部材と離間していることとは，相反する事項であるため，どのような事項を特定しようとしているのかが明確でない。
　上記の指摘は請求項１を引用する請求項２〜４についても同様である。
　したがって，請求項１〜４に係る発明は明確でない。
２．先願（甲第４号証）の記載事項，先願発明
（１）記載事項
　先願（甲第４号証）には，図面と共に以下の事項が記載されている（下線は当審で付した。以下同様。）
・「【０００１】
　本発明は，電源装置に関し，特に，交流電圧・交流電流を直流電圧・直流電流に変換して負荷に供給する電源装置，及び当該電源装置と，負荷である光源とを有する照明装置に関する。」
・「【００１７】
（実施形態１）
　本実施形態の照明器具Ａは，図１及び図２に示すように光源ユニット２と，器具本体１とで構成される。
器具本体１は，吊りボルト２００に固定され，天井１００に直付けされ
光源ユニット２は，器具本体１に対して着脱可能に取り付けられ
・「【００１９】
　また，凹部１１の底板１１１には，電源線３０を通すための孔１１１Ａが前後方向（長手方向）におけるほぼ中央に設けられている。さらに，
この底板１１１には，前後方向における両端寄りの位置に吊りボルト２００を通すための孔１１１Ｂがそれぞれ設けられている
・「【００２０】
　
光源ユニット２
ＬＥＤモジュール２２，取付部材２１，カバー２３，電源ユニット
４などを備える
【００２１】
　
ＬＥＤモジュール２２は
実装基板２２１を有す
実装基板２２１は，
複数のＬＥＤ
２２２が
実装され
・「【００２３】
　
取付部材２１は，板金に曲げ加工を施すことでＵ字状に形成され
・「【００２８】
　
電源ユニット４は，第１プリント配線板４０に電子部品が実装されて構成される電源回路と，前記電源回路を収納する第１ケース４２とを有す
この電源回路は，電源入力部４００，フィルタ回路４０１，整流部４０２，昇圧回路４０３，降圧回路４０４，電源出力部４０５，主制御回路４０６，制御電源回路４０７，調光制御回路４０８，消灯制御回路４０９，信号入力部４１０などを備え
・「【００３３】
　信号入力部４１０は，レセプタクルコネクタからなり，機能ユニット５のプラグコネクタ５０４が差込接続される。後述するように，
機能ユニット５から出力される制御信号が信号入力部４１０を介して調光制御回路４０８と消灯制御回路４０９に入力され
【００３４】
　
消灯制御回路４０９は，制御信号に応じて，点灯中のＬＥＤモジュール２２を消灯させるための消灯信号を生成して主制御回路４０６に出力す
【００３５】
　また，
調光制御回路４０８は，制御信号に応じて，ＬＥＤモジュール２２の光出力（調光レベル）を指示する調光信号を生成して主制御回路４０６に出力す
・「【００４０】
　
機能ユニット５は，第２プリント配線板５０に電子部品が実装されて構成される回路部と，前記回路部を収納する第２ケース５１とを有す
この回路部は，外部信号入力部５００，
信号出力部５０２
などを備え
・「【００４４】
　第２プリント配線板５０は，図８に示すように，矩形平板状の絶縁基板の裏面（下面）に配線用の導体（銅箔）がプリントされて構成される。
第２プリント配線板５０の表面
に，外部信号入力部５００と信号出力部５０２が実装され
，第２プリント配線板５０の裏面
に，
外部信号入力部５００及び信号出力部５０２以外の部品が実装され
・「【００４６】
　第２ケース５１は，図６及び図７に示すように，下壁５２，一対の側壁５３，後壁５４，上壁５５，傾斜壁５６を有し，前面が開放された箱形に形成される。さらに，第２ケース５１は，第２プリント配線板５０の周縁部分と嵌合する一対の嵌合部５３０と，第２プリント配線板５０と各嵌合部５３０との嵌合状態を保持する保持部５３１とを有する。なお，第２ケース５１は，ポリカーボネート樹脂などの合成樹脂材料からなる合成樹脂成形体として構成されることが好ましい。
【００４７】
　嵌合部５３０は，図７に示すように，各側壁５３に設けられる一対のリブ５３００で構成される。各リブ５３００は，一対の側壁５３から，前後方向に沿って外向きに突出し，且つ上下方向に間隔を空けて対向するように形成される。そして，図９に示すように，上下方向に並ぶ２つのリブ５３００の間に第２プリント配線板５０の周縁部分が挿入される。つまり，嵌合部５３０は，上下方向に並ぶ２つのリブ５３００により，第２プリント配線板５０の周縁部分を厚み方向（上下方向）に沿って挟むように構成される。ただし，リブ５３００同士の間隔は，第２プリント配線板５０の厚みよりも大きい。」
・「【００５０】
　また，
第２ケース５１の各側壁５３の前端部分には，
結合オス部５７がそれぞれ設けられ
これら一対の結合オス部５７は，電源ユニット４の第１ケース４２に設けられる一対の結合メス部４２４と機械的に結合され
・「【００５４】
　而して，各結合メス部４２４の孔４２４０にそれぞれ支持片５７０が挿入されると，孔４２４０の上下両側の縁に押されて支持片５７０が内向きに撓み，凸部５７００が孔４２４０の縁を乗り越えて結合メス部４２４に引っ掛かる。その結果，第１ケース４２の結合メス部４２４と第２ケース５１の結合オス部５７とが結合し，第１ケース４２に第２ケース５１が取り付けられる。ただし，結合オス部５７の先端部分は，孔４２１１を通して第１ケース４２内に進入する。」 
・「【００５９】
　まず，作業者は，電源ユニット４の電源出力部４０５に，出力線４３の一端を電気的に接続した後，第１側板４２１Ａに設けられている保持溝４２１２に出力線４３を挿通して保持させる（図５参照）。さらに，作業者は，出力線４３を機能ユニット５の第２ケース５１のケーブル保持部５２１に保持させる。続いて，作業者は，電源ユニット４の信号入力部４１０に，機能ユニット５のプラグコネクタ５０４を差込接続する。さらに，作業者は，引掛部５２０を第１ケース４２の第１側板４２１Ａの先端に引っ掛けた後，結合オス部５７の支持片５７０を結合メス部４２４の孔４２４０に挿入して，各結合オス部５７を結合メス部４２４と結合する。以上の手順で電源ユニット４に機能ユニット５が取り付けられて電源装置の組立が完了する（図１１参照）。
【００６０】
　次に，光源ユニット２の組立手順を説明する。作業者は，上述の手順で組み立てた電源装置（電源ユニット４）を取付部材２１の上面側に取り付け，さらに，ＬＥＤモジュール２２を取付部材２１の底板２１１の下面に固定する（図１２参照）。このとき，
第２ケース５１の下壁５２に設けられる突部５２２の先端が取付部材２１の底板２１１に当たるため，第２ケース５１の下壁５２と底板２１１との間に隙間が形成され
・「【００８１】
 ところで，
外部制御信号は，電波を媒体として無線伝送される場合もある
機能ユニット５（５Ｄ）は，電波を
受波する
ためのアンテナ
５０８
と，アンテナ
５０８
を介して外部制御信号を受信する無線通信回路５０７とを有す
無線通信回路５０７は，アンテナ５０８から出力される電気信号（受信信号）を復調及び復号化して外部制御信号を取得し，取得した外部制御信号を信号変換部５０６に渡す
信号変換部５０６は，
信号変換を行い，信号変換後の内部制御信号を信号出力部５０２を介して電源ユニット４に出力す
アンテナ５０８は，第２プリント配線板５０に実装されて第２ケース５１に収納され
【００８２】
　上述のように構成された機能ユニット５Ｄが電源ユニット４と組み合わされると，照明器具Ａに対する信号線の配線工事が不要になるという利点がある。また，信号線の配線工事が不要であるから，施工後の照明器具Ａに機能ユニット５Ｄが追加されることにより，遠隔制御の機能を容易に追加することができる。その結果，照明器具Ａを入れ替えることなく，新たな機能（ワイヤレスの遠隔制御機能）を簡単且つ低コストで照明器具Ａに追加することができる。 」
・図１〜図４，図７，図９，図１２，図１７には，以下の内容が示されている。
　
【図２】
【図３】
【図４】
【図７】
・段落【００４０】，【００４４】の下線部の記載事項からみて，機能ユニット５は，第２プリント配線板５０に電子部品が実装されて構成される回路部として，外部信号入力部５００，信号出力部５０２などを備え，第２プリント配線板５０の表面に，外部信号入力部５００と信号出力部５０２が実装され，第２プリント配線板５０の裏面に，外部信号入力部５００及び信号出力部５０２以外の部品が実装されるものであるから，段落【００８１】の下線部の記載事項からみて，図１７に示すように，外部制御信号は，電波を媒体として無線伝送される場合には，同様にして，外部信号を受信してから出力するまでの
機能ユニット５（５Ｄ）の回路部である無線通信回路５０７，信号変換部５０６，及び信号出力部５０２は第２プリント配線板基板５０に実装されており，前記回路部は第２ケース５１に収納され，アンテナ５０８が第２プリント配線板５０基板に実装されて第２ケース５１に収納されている
・図２からみて，
取付部材２１に対して下側の面に，ＬＥＤ２２２が実装された実装基板２２１が取り付けられており，取付部材２１に対して上側の面に，電源ユニット４が設けられ
・図４からみて，電源ユニット４に機能ユニット５が取り付けられた構成が理解できる。
・段落【００６０】の下線部の記載事項と，図１２からみて，
電源ユニット４に機能ユニット５が取り付けられており，機能ユニット５の第２ケース５１と取付部材２１の底板２１１との間に，隙間が形成され
・段落【００１７】，【００１９】の下線部の記載事項と，図１からみて，
無線通信回路５０７を有する機能ユニット５は，器具本体１を天井１００に取り付けるための吊りボルト２００と干渉しない位置に配置されている
（２）先願発明
　これらの事項からみて，甲第４号証には，以下の発明（以下，「先願発明」という。）が記載されていると認められる。
「器具本体１は，吊りボルト２００に固定され，天井１００に直付けされ，光源ユニット２は，器具本体１に対して着脱可能に取り付けられ，
　ＬＥＤモジュール２２，取付部材２１，カバー２３，電源ユニット４などを備える光源ユニット２と，
　ＬＥＤモジュール２２は，実装基板２２１を有し，実装基板２２１は，複数のＬＥＤ２２２が実装され，
　電源ユニット４は，第１プリント配線板４０に電子部品が実装されて構成される電源回路と，前記電源回路を収納する第１ケース４２とを有し，この電源回路は，電源入力部４００，フィルタ回路４０１，整流部４０２，昇圧回路４０３，降圧回路４０４，電源出力部４０５，主制御回路４０６，制御電源回路４０７，調光制御回路４０８，消灯制御回路４０９，信号入力部４１０などを備え，
　機能ユニット５から出力される制御信号が信号入力部４１０を介して調光制御回路４０８と消灯制御回路４０９に入力され，
　消灯制御回路４０９は，制御信号に応じて，点灯中のＬＥＤモジュール２２を消灯させるための消灯信号を生成して主制御回路４０６に出力し，
　調光制御回路４０８は，制御信号に応じて，ＬＥＤモジュール２２の光出力（調光レベル）を指示する調光信号を生成して主制御回路４０６に出力し，
　取付部材２１は，板金に曲げ加工を施すことでＵ字状に形成され，取付部材２１に対して下側の面に，ＬＥＤ２２２が実装された実装基板２２１が取り付けられており，取付部材２１に対して上側の面に，電源ユニット４が設けられており，
　機能ユニット５（５Ｄ）は，電波を受波するためのアンテナ５０８と，アンテナ５０８を介して外部制御信号を受信する無線通信回路５０７とを有し，無線通信回路５０７は，アンテナ５０８から出力される電気信号（受信信号）を復調及び復号化して外部制御信号を取得し，取得した外部制御信号を信号変換部５０６に渡し，信号変換部５０６は，信号変換を行い，信号変換後の内部制御信号を信号出力部５０２を介して電源ユニット４に出力し，
　第２ケース５１の各側壁５３の前端部分には，結合オス部５７がそれぞれ設けられ，これら一対の結合オス部５７は，電源ユニット４の第１ケース４２に設けられる一対の結合メス部４２４と機械的に結合され，　
　機能ユニット５（５Ｄ）の回路部である無線通信回路５０７，信号変換部５０６，及び信号出力部５０２は第２プリント配線板５０に実装されており，前記回路部は第２ケース５１に収納され，アンテナ５０８が第２プリント配線板に実装されて第２ケース５１に収納され，
　電源ユニット４に機能ユニット５が取り付けられており，機能ユニット５の第２ケース５１と取付部材２１の底板２１１との間に，隙間が形成され，
　無線通信回路５０７を有する機能ユニット５は，器具本体１を天井１００に取り付けるための吊りボルト２００と干渉しない位置に配置されている，
　光源ユニット２。」
３．当審の判断
（１）特許法第２９条の２について
ア．本件発明１について
（ア）本件発明１と先願発明とを対比すると，後者の「天井」は前者の「造営材」に相当し，以下同様に，「器具本体１」は「器具本体」に，「ＬＥＤ２２２」は「半導体発光素子」に，「実装基板２２１」は「発光素子基板」に，電源回路の「電源入力部４００，フィルタ回路４０１，整流部４０２，昇圧回路４０３，降圧回路４０４，電源出力部４０５，制御電源回路４０７」は「電源部」に，「光源ユニット２」は「発光ユニット」に，電源回路の「主制御回路４０６，調光制御回路４０８，消灯制御回路４０９，信号入力部４１０」及び機能ユニット５Ｄの「アンテナ５０８，無線通信回路５０７，信号変換部５０６，信号出力部５０２」は「制御部」に，「取付部材２１」は「支持部材」に，「下側の面」は「第１面」に「上側の面」は「第２面」に，「アンテナ５０８」は「アンテナ」に，「無線通信回路５０７」は「無線制御部」に，「第２プリント配線板５０」は「無線制御部の基板」に，「第２ケース５１」は「第１筐体」に，「第１ケース４２」は「第２筐体」に，それぞれ相当する。
（イ）後者の「光源ユニット２」は「器具本体１に対して着脱可能に取り付けられ，」「器具本体１は，吊りボルト２００に固定され，天井１００に直付けされ」ているから，上記（ア）の相当関係を踏まえると，後者の「光源ユニット２」は，前者の「造営材に取り付けられた器具本体に取り付けられる発光ユニット」に相当する。
（ウ）後者の「光源ユニット２は」「ＬＥＤモジュール２２，取付部材２１，カバー２３，電源ユニット４などを備え」，「ＬＥＤモジュール２２は，実装基板２２１を有し，実装基板２２１は，複数のＬＥＤ２２２が実装され」るから，複数のＬＥＤ２２と，複数のＬＥＤ２２が実装される実装基板２２１とを光源ユニット２が備えることは明らかであり，これらの事項は，上記（ア）の相当関係を踏まえると，前者の「複数の半導体発光素子と，前記複数の半導体発光素子が実装される発光素子基板と」「を備え」る「発光ユニット」に相当する。
（エ）後者の電源ユニット４の電源回路の「電源入力部４００，フィルタ回路４０１，整流部４０２，昇圧回路４０３，降圧回路４０４，電源出力部４０５，制御電源回路４０７」は前者の「複数の半導体発光素子の電力供給源である電源部」に相当する。
（オ）後者の「機能ユニット５から出力される制御信号が信号入力部４１０を介して調光制御回路４０８と消灯制御回路４０９に入力され，消灯制御回路４０９は，制御信号に応じて，点灯中のＬＥＤモジュール２２を消灯させるための消灯信号を生成して主制御回路４０６に出力し，調光制御回路４０８は，制御信号に応じて，ＬＥＤモジュール２２の光出力（調光レベル）を指示する調光信号を生成して主制御回路４０６に出力し」ていること及び上記（ア）の相当関係を踏まえると，後者の電源回路の「主制御回路４０６，調光制御回路４０８，消灯制御回路４０９，信号入力部４１０」及び機能ユニット５Ｄの「アンテナ５０８，無線通信回路５０７，信号変換部５０６，信号出力部５０２」は前者の「半導体発光素子の発光に関する制御を行う制御部」に相当する。
（カ）後者の「電源ユニット４に機能ユニット５が取り付けられて」いることと，上記（ア）の相当関係を踏まえると，後者の「取付部材２１は，板金に曲げ加工を施すことでＵ字状に形成され，取付部材２１に対して下側の面に，ＬＥＤ２２２が実装された実装基板２２１が取り付けられており，取付部材２１に対して上側の面に，電源ユニット４が設けられて」ていることは，前者の「発光素子基板が取り付けられる第１面と，当該第１面の反対面である第２面であって，電源部および制御部が設けられる第２面とを有する金属製の支持部材」に相当する。
（キ）後者の「機能ユニット５（５Ｄ）は，電波を受波するためのアンテナ５０８と，アンテナ５０８を介して外部制御信号を受信する無線通信回路５０７とを有し，無線通信回路５０７は，アンテナ５０８から出力される電気信号（受信信号）を復調及び復号化して外部制御信号を取得し，取得した外部制御信号を信号変換部５０６に渡し，信号変換部５０６は，信号変換を行い，信号変換後の内部制御信号を信号出力部５０２を介して電源ユニット４に出力し」，「機能ユニット５から出力される制御信号が信号入力部４１０を介して調光制御回路４０８と消灯制御回路４０９に入力され，消灯制御回路４０９は，制御信号に応じて，点灯中のＬＥＤモジュール２２を消灯させるための消灯信号を生成して主制御回路４０６に出力し，調光制御回路４０８は，制御信号に応じて，ＬＥＤモジュール２２の光出力（調光レベル）を指示する調光信号を生成して主制御回路４０６に出力し」ていること及び上記ア．の相当関係を踏まえると，後者の電源回路の「主制御回路４０６，調光制御回路４０８，消灯制御回路４０９，信号入力部４１０」及び機能ユニット５Ｄの「アンテナ５０８，無線通信回路５０７，信号変換部５０６，信号出力部５０２」は，全体の機能を総合すると，前者の「制御部は，信号を受信するアンテナと，前記アンテナで受信した信号に応じて電源部から供給される電力を制御する無線制御部とを有」することに相当する。
（ク）上記（ア）の相当関係を踏まえると，後者の「機能ユニット５（５Ｄ）の回路部である無線通信回路５０７，信号変換部５０６，及び信号出力部５０２は第２プリント配線板５０に実装されており，」「アンテナ５０８が第２プリント配線板５０に実装されて」ていることは，前者の「無線制御部は基板状であり，アンテナは前記無線制御部の基板に実装されて」いることに相当する。
（ケ）後者の「機能ユニット５（５Ｄ）の回路部である無線通信回路５０７，信号変換部５０６，及び信号出力部５０２は第２プリント配線板基板５０に実装されており，前記回路部は第２ケース５１に収納され，アンテナ５０８が第２プリント配線板５０基板に実装されて第２ケース５１に収納されている」ことは，上記（ア）の相当関係を踏まえると，前者の「無線制御部は」「第１筐体の内部に配置され」ていることに相当する。
（コ）上記（カ）と上記（ア）の相当関係を踏まえると，後者の「電源ユニット４に機能ユニット５が取り付けられており，機能ユニット５の第２ケース５１と取付部材２１の底板２１１との間に，隙間が形成されている」ことは，前者の「無線制御部は，」「支持部材と離間している」ことに相当する。
（サ）上記（ケ）（コ）を踏まえると，後者の「機能ユニット５（５Ｄ）の回路部である無線通信回路５０７，信号変換部５０６，及び信号出力部５０２は第２プリント配線板基板５０に実装されており，前記回路部は第２ケース５１に収納され，アンテナ５０８が第２プリント配線板５０基板に実装されて第２ケース５１に収納され」，「電源ユニット４に機能ユニット５が取り付けられており，機能ユニット５の第２ケース５１と取付部材２１の底板２１１との間に，隙間が形成されている」ことは，前者の「前記無線制御部は，前記支持部材と離間する状態で第1筐体の内部に配置され」ていることに相当する。
（シ）後者は「電源ユニット４は，第１プリント配線板４０に電子部品が実装されて構成される電源回路と，前記電源回路を収納する第１ケース４２とを有」するものの「第２ケース５１の各側壁５３の前端部分には，結合オス部５７がそれぞれ設けられ，これら一対の結合オス部５７は，電源ユニット４の第１ケース４２に設けられる一対の結合メス部４２４と機械的に結合され」ているから，後者の電源回路の「主制御回路４０６，調光制御回路４０８，消灯制御回路４０９，信号入力部４１０」と前者の「前記電源部は，前記第１の筐体と離間する第２筐体の内部に配され」ていることとは，「前記電源部は，第２筐体の内部に配され」ることにおいて共通する。
（ス）後者の「無線通信回路５０７を有する機能ユニット５は，器具本体１を天井１００に取り付けるための吊りボルト２００と干渉しない位置に配置されている」ことは，前者の「前記無線制御部は，前記器具本体を前記造営材に取り付けるための吊りボルトと干渉しない位置に配置されている」ことに相当する。
（セ）そうすると，両者は，
「造営材に取り付けられた器具本体に取り付けられる発光ユニットであって，
　複数の半導体発光素子と，
　前記複数の半導体発光素子が実装される発光素子基板と，
　前記複数の半導体発光素子の電力供給源である電源部と，
　前記半導体発光素子の発光に関する制御を行う制御部と，
　前記発光素子基板が取り付けられる第１面と，当該第１面の反対面である第２面であって，前記電源部および前記制御部が設けられる第２面とを有する金属製の支持部材と，を備え，
　前記制御部は，
　信号を受信するアンテナと，前記アンテナで受信した信号に応じて前記電源部から供給される電力を制御する無線制御部とを有し，
　前記無線制御部は基板状であり，前記アンテナは前記無線制御部の基板に実装されており，
　前記無線制御部は，前記支持部材と離間する状態で第１筐体の内部に配置され，
　前記電源部は，第２筐体の内部に配され，
　前記無線制御部は，前記器具本体を前記造営材に取り付けるための吊りボルトと干渉しない位置に配置されている
　発光ユニット。」
において一致し，以下の点で相違すると認められる。
＜相違点＞
　前記電源部は，第２筐体の内部に配されることに関して，第２筐体が，本件発明１では，「前記第１の筐体と離間する」のに対して，先願発明では，「第２ケース５１（第１筐体）の各側壁５３の前端部分には，結合オス部５７がそれぞれ設けられ，これら一対の結合オス部５７は，電源ユニット４の第１ケース４２（第２筐体）に設けられる一対の結合メス部４２４と機械的に結合され」ている点。
（ソ）相違点の判断
　本件発明１は，第１の筐体と第２筐体とを離間して配しているため，無線制御部を吊りボルトと干渉しないように支持部材に配置する際に無線制御部の配置位置の自由度が高いという効果を奏する。例えば，本件発明１では，吊りボルトが第１筐体と第２筐体との間に位置するような配置も可能である。
　これに対し，先願発明１では，第１ケース４２に第２ケース５１が結合するため，機能ユニット５Ｄが吊りボルト２００と干渉しないように取付部材２１に配置する際に，第２ケース５１の大きさの配置スペースだけでなく，第１ケース４２と第２ケース５１とが結合した大きさの配置スペースを確保する必要があり，機能ユニット５Ｄの配置位置の自由度が低いものとなる。例えば，先願発明１では，本件発明１では可能である，吊りボルト２００が第１ケース４２と第２ケース５１との間に位置するような配置は想定し得ない。
　このように，本件発明１では，第１の筐体と第２筐体とが離間するという構成は周知の技術ともいえないし，当該構成により，無線制御部を吊りボルトと干渉しないように支持部材に配置する際の配置位置の自由度を高くできるという，先願発明１では得ることのできない，新たな効果を奏する。
　したがって，本件発明１は，第１の筐体と第２筐体とが離間するという点で先願発明１と相違し，当該相違点に係る構成は，周知技術ともいえないし，当該相違点による新たな効果が得られるため，先願発明１と実質的に同一の発明ではないから，特許法第２９条の２の規定に違反してなされたものではない。
イ．本件発明２，３について
　本件発明２，３は，本件発明１の発明特定事項を全て含み，さらに限定して発明を特定するものであるから，本件発明１と同じ理由により，先願発明と実質的に同一の発明ではないから，特許法第２９条の２の規定に違反してなされたものではない。
（２）特許法第３６条第６項第２号について
　訂正前の請求項１に係る発明において「前記無線制御部は，前記第２面に設けられ，前記支持部材と離間している」と特定されていたものを，訂正後の請求項１に係る発明では，前記無線制御部に関して，「前記第２面に設けられ」ることが削除され，「第1筐体の内部に配置され」ていることが特定されたから，相反する事項は解消されて明確となった。
　したがって，請求項１〜４に係る発明は，特許法第３６条第６項第２号に規定する要件を満たしている。
（３）異議申立人の意見について
　異議申立人は令和３年　７月１９日付け意見書の３．３−４において，
「しかしながら，光源ユニットの回路部品を吊りボルトと干渉しない位置に配置すること自体は，上述したとおり，技術常識の範囲内の事項といえる。また，特許権者が意見書の中で認めているとおり，先願発明１においても，無線通信回路５０７は，器具本体１を天井１００に取り付けるための吊りボルト２００と干渉しない位置に配置されている。そして，回路部品の配置位置の自由度を高めるために，回路部品を収納する筐体を離問して配置することは，設計者が通常行う工夫程度の事項であり，特段，新たな効果を奏する事項とはいえない。
　したがって，本件の訂正後の請求項１に係る発明は，甲第４号証記載の発明と実質的に同一であり，したがって，特許法第２９条の２により特許を受けることができず，取り消されるべきものである。」旨主張する。
　しかしながら，上記３．（１）ア．（ソ）において述べたように，本件発明１は，第１の筐体と第２筐体とが離間するという点で先願発明１と相違し，当該相違点によって，無線制御部を吊りボルトと干渉しないように支持部材に配置する際の配置位置の自由度を高くできるという新たな効果が得られるため，先願発明と実質的に同一の発明ではないから，特許法第２９条の２の規定に違反してなされたものではなく，上記主張は採用できない。
第５　取消理由通知において採用しなかった特許異議申立理由について
１．取消理由通知において採用しなかった特許異議申立理由の概要
１）（新規性）本件特許の下記請求項に係る発明は，その出願前に日本国内又は外国において，頒布された下記の刊行物に記載された発明又は電気通信回線を通じて公衆に利用可能となった発明であるから，特許法第２９条第１項第３号に該当し，特許を受けることができないから，その発明に係る特許は取り消すべきものである。
２）（進歩性）本件特許の下記の請求項に係る発明は，その出願前日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであり，特許法第２９条第２項の規定により特許を受けることができないから，その発明に係る特許は取り消すべきものである。
３）（拡大先願）本件特許の下記の請求項に係る発明は，その出願の日前の特許出願であって，その出願後に特許掲載公報の発行又は出願公開がされた下記の特許出願の願書に最初に添付された明細書，特許請求の範囲又は図面に記載された発明と同一であり，しかも，この出願の発明者がその出願前の特許出願に係る上記の発明をした者と同一ではなく，またこの出願の時において，その出願人が上記特許出願の出願人と同一でもないので，下記の請求項に係る特許は，特許法第２９条の２の規定に違反してされたものであり，取り消されるべきものである。
　　　　　　　　　　　　　　　　　　記
＜理由１＞
・請求項　１
・甲第１号証
＜理由２＞
・請求項　１〜３
・甲第１号証
・請求項　４
・甲第１号証，及び，甲第２号証
＜理由３＞
・請求項　１
・甲第３号証
甲第１号証：米国特許出願公開第２０１４／０３７５２０４号明細書
甲第２号証：特開２０１４−１６３３８号公報
甲第３号証：特願２０１５−１２０３５４号（特開２０１６−２１３１６６号）
２．特許法第２９条第１項及び第２項について（＜理由１＞及び＜理由２＞）
（１）甲号証の記載
ア．甲第１号証
　甲第１号証には，図面と共に以下の事項が記載されている（｛｝内に異議申立人が翻訳した翻訳文を示す。）。
・「TECHNICAL FIELD
【0002】Various embodiments relate to a lighting device.」
｛技術分野
【0002】種々の実施形態は，照明装置に関する。｝
・「【0006】According to various embodiments, a lighting device includes a tube and end caps located at two ends of the tube, a lighting assembly arranged in the tube, a driver for the lighting assembly, an antenna and a wireless communication circuit for conducting wireless communication, the antenna being provided in the end cap and the wireless communication circuit being provided in the tube or at least partially provided in the end cap, and one side of the wire communication circuit being connected to the driver and the other side thereof being connected to the antenna. Since the antenna for wireless communication is provided advantageously in the end cap, the space on light engine inside the tube is not occupied as compared with the related art. In addition, the wireless communication circuit may be provided in the tube or partially in the end cap for electrically connecting the antenna in the cap end and the driver inside the tube, which ensures that a wireless signal is received using the antenna and transmitted to the driver via the wireless communication circuit, and the lighting assembly is driven by the driver to operate normally. Thus, the manner of connecting via the circuit board in the related art is replaced for controlling directly the working states of the LED driver via the wireless communication circuit. Therefore, more light sources especially LEDs may be arranged on the circuit board, such that the overall brightness of the lighting device is unaffected while realizing a good wireless communication.
【0007】Preferably, the wireless communication circuit is formed on a wireless communication circuit board, and the antenna is connected to the wireless communication circuit board, thereby realizing an effective signal transmission between the antenna and the wireless communication circuit board.」
｛【0006】種々の実施形態によれば，照明装置が，管および管の２つの端部に位置する端部キャップと，管内に配置された照明アセンブリと，照明アセンブリのドライバと，アンテナと，無線通信を行うための無線通信回路とを含み，アンテナは，端部キャップ内に設けられ，無線通信回路は，管内に設けられ，あるいは少なくとも部分的に端部キャップ内に設けられ，有線通信回路の一方側が，ドライバに接続され，他方側が，アンテナに接続されている。無線通信のためのアンテナが，端部キャップ内に好都合に設けられているため，関連技術と比べて，管の内部の光エンジン上の空間を占めることがない。さらに，無線通信回路を管内に設け，あるいは部分的に端部キャップ内に設けて，キャップ端部のアンテナと管の内部のドライバとを電気的に接続できるため，アンテナを用いた無線信号の受信および無線通信回路を介したドライバヘの送信が保証され，照明アセンブリが正常に動作するようにドライバによって駆動される。このようにして，関連技術における回路基板を介した接続のやり方が，無線通信回路を介してLEDドライバの動作状態を直接制御するために置き換えられる。したがって，良好な無線通信を実現しつつ，照明装置の全体的な明るさに影響を与えないように，より多くの光源，とりわけLEDを，回路基板上に配置することができる。
【0007】好ましくは，
無線通信回路が無線通信回路基板上に形成され，アンテナが無線通信回路基板に接続される
・「【0019】FIG. 1 is a schematic diagram of an internal structure of a tube-shaped lighting device according to the related art. End caps 2 are located at two ends of a tube 1, respectively, and in the end caps 2 there are large unoccupied structural spaces. A light engine 8, a heat sink 7, and an LED driver 6 are disposed laminatingly layer by layer inside the tube 1. A plurality of LEDs 9 for illumination are provided on the light engine 8. However, on the light engine 8 there are arranged an antenna 4 and a wireless communication circuit 5 for conducting a wireless communication. From the figure, it can be clearly seen that the antenna 4 for receiving a wireless signal and controlling the lighting device and the wireless communication circuit 5 are located on the light engine 8, such that the position where the LEDs are initially arranged is occupied and the brightness of the lighting device is affected.
【0020】FIG. 2 is a schematic diagram of an internal structure of a lighting device according to a specific embodiment of the present disclosure, wherein the lighting device is designed as a tube shape. It is shown by comparison with FIG. 1 that, in a lighting device also having a tube-shape structure, the antenna 4 for receiving a wireless signal is located in the cap end 2 on one side of the tube 1, the wireless communication circuit 5, designed in the form of a wireless communication circuit board, is partially located in the end cap 2 and partially in the tube 1 for connecting the antenna to the LED driver 6 inside the tube 1 so as to control the lighting device. Herein, the wireless communication circuit board and the LED driver 6 are arranged side by side and connected together. The two are connected directly, whereby assembling may be performed simply, the communication between the LED driver 6 and the wireless communication circuit 5 may be ensured, and communication interruption caused by wire connection or a short circuit due to an unreasonable wire connection may be reduced as much as possible.
【0021】 In a preferred embodiment, the end caps 2 which are optionally made of a light-weight material such as plastic which not shields a wireless signal and the tube 1 may be connected together, whereby respective components of the end caps 2 and the tube 1 may be assembled conveniently. Similar to what is shown in FIG. 1, the light engine 8, the heat sink 7, and the LED driver 6 are disposed stacked inside the tube 1. Since there is no need to arrange the antenna 4 and the wireless communication circuit 5 inside the tube 1, a plurality of LEDs may be placed over the whole space of the light engine 8 so as to provide sufficient brightness.
【0022】FIG. 3 is a cross-sectional schematic diagram of an end plane of a lighting device according to another embodiment of the present disclosure. In said embodiment, the heat sink 7 designed as a part of the tube 1 has a semicylindrical structure. In order to prevent the heat sink 7 made of a metal material from shielding a wireless signal, the antenna 4 and the wireless communication circuit 5 with one side connected thereto may be wholly placed in the end cap 2. Of course, the wireless communication circuit 5 may be placed partially in the end cap 2 to allow for a more compact design of the lighting device. The other side of the wireless communication circuit 5 is connected to the LED driver 6 inside the tube 1. Since the wireless communication circuit 5 and the LED driver 6 are arranged side by side, the LED driver 6 is not shown in the cross-sectional view of said end plane. The elongated mounting plane of the heat sink 7 goes longitudinally through the whole tube 1 and is located near the center of the tube 1. The LED driver 6 is fixed at one side where the mounting plane faces the arch-shaped structure of the heat sink 7, and the light engine 8 having a plurality of LEDs 9 are fixed to the other side of the mounting plane.」
｛【0019】図１は，関連技術による管状の照明装置の内部構造の概略図である。端部キャップ２が，管１の両端部にそれぞれ位置しており，端部キャップ２内に，大きな非占有の構造空間が存在する。光エンジン８，ヒートシンク７，およびLEDドライバ６が，管１の内部に層状に重ねられて配置されている。照明用の複数のLED9が，光エンジン８上に設けられている。しかしながら，光エンジン８上には，無線通信を行うためのアンテナ４および無線通信回路５が配置されている。図から，無線信号の受信および照明装置の制御のためのアンテナ４ならびに無線通信回路５が，当初はLEDが配置されていた位置を占めるように光エンジン８上に位置し，照明装置の明るさが損なわれることを，明らかに見て取ることができる。
【0020】図２が，本開示の特定の実施形態による照明装置の内部構造の概略図であり，照明装置は管状に設計されている。図１との比較により，やはり管状の構造を有している照明装置において，
無線信号を受信するためのアンテナ４が管１の一方側のキャップ端部２内に位置し，無線通信回路基板の形態に設計された無線通信回路５の一部分が端部キャップ２内に位置し，一部分が照明装置を制御すべくアンテナを管１の内部のLEDドライバ６へと接続するように管１内に位置している
無線通信回路基板およびLEDドライバ６は，並べて配置され，互いに接続され
両者が直接接続されることで，組み立てを簡単に実行することができ，LEDドライバ６と無線通信回路５との間の通信を確実にでき
【0021】好ましい実施形態においては，随意により無線信号を遮らないプラスチックなどの軽量材料で製作される端部キャップ２と，管１とを，互いに接続することができ，したがって，端部キャップ２および管１のそれぞれの構成要素を好都合に組み立てることができる。図１に示されているものと同様に，
光エンジン８，ヒートシンク７，およびLEDドライバ６は，管１の内部に積み重ねて配置されてい
【0022】図３は，本開示の別の実施形態による照明装置の端面の断面概略図である。この実施形態において，管１の一部として設計されたヒートシンク７は，半円筒形の構造を有する。
金属材料で作られたヒートシンク７
一方側がアンテナ４に接続された無線通信回路５を，完全に端部キャップ２内に配置すること
無線通信回路５の一部分を端部キャップ２内に配置し
無線通信回路５の他方側は，管１の内部のLEDドライバ６に接続される
EDドライバ６は，ヒートシンク７のアーチ型の構造に面する取り付け面の一方側に固定され，複数のLED９を有する光エンジン８は，取り付け面の他方側に固定される。
・「1. A lighting device, comprising:
a tube and end caps located at two ends of the tube,
a lighting assembly arranged in the tube,
a driver for the lighting assembly,
an antenna, and
a wireless communication circuit for conducting wireless communication, the antenna being provided in the end cap and the wireless communication circuit being provided in the tube or at least partially provided in the end cap, and one side of the wire communication circuit being connected to the driver and the other side thereof being connected to the antenna.」
｛１．管および前記管の２つの端部に位置する端部キャップと，
　前記管内に配置された照明アセンブリと，
　前記照明アセンブリのドライバと，
　アンテナと，
　無線通信を行うための無線通信回路と
　を備えており，
　前記アンテナは，前記端部キャップ内に設けられ，前記無線通信回路は，前記管内に設けられ，あるいは少なくとも部分的に前記端部キャップ内に設けられ，前記有線通信回路の一方側が，前記ドライバに接続され，他方側が，前記アンテナに接続されている，照明装置。｝
・「4. The lighting device according to claim 1, wherein the lighting assembly comprises a circuit board and a plurality of LEDs arranged on and at one side of the circuit board.
5. The lighting device according to claim 4, further comprising a heat sink, wherein the heat sink is provided on one side of the circuit board facing away from the LED and the LED driver is provided on one side of the heat sink facing away from the circuit board.」
｛４．前記
照明アセンブリは，回路基板と，前記回路基板の片面上に配置された複数のLEDとを備える
５．ヒートシンクをさらに備え，前記ヒートシンクは，前記回路基板のうちの前記LEDから遠ざかる方を向いた片面上に設けられ，前記LEDドライバは，前記ヒートシンクのうちの前記回路基板から遠ざかる方を向いた片面上に設けられている，請求項４に記載の照明装置。｝
・図２，図３には，以下の内容が示されている。
・図２から，
複数のＬＥＤ９が配置された光エンジン８が，ヒートシンク７に対して複数のＬＥＤ９が配置された側と同じ側に位置しており，ヒートシンク７に対して複数のＬＥＤ９が配置された側と反対側には，ＬＥＤドライバ６及び無線通信回路５が位置してい
・図３から，ＬＥＤが配置された光エンジン８が半円筒形のヒートシンク７の平面に対してＬＥＤが配置された側と同じ側に位置し，
ヒートシンク７の平面に対してＬＥＤが配置された側と反対側には，無線通信回路５が離れて位置している
　これらの記載事項及び図示内容からみて，甲第１号証の図２の実施の形態に着目すると，以下の発明（以下，「甲１発明」という。）が記載されていると認められる。
「複数のＬＥＤ９が配置された光エンジン８が，ヒートシンク７
に対して複数のＬＥＤ９が配置された
　光エンジン８，ヒートシンク７，およびＬＥＤドライバ６は，管１の内部に積み重ねて配置されており，
　無線信号を受信するためのアンテナ４が管１の一方側のキャップ端部２内に位置し，無線通信回路基板の形態に設計された無線通信回路５の一部分が端部キャップ２内に位置し，一部分が照明装置を制御すべくアンテナを管１の内部のＬＥＤドライバ６へと接続するように管１内に位置しており，無線通信回路５が無線通信回路基板上に形成され，アンテナ４が無線通信回路基板に接続され，
　無線通信回路基板およびＬＥＤドライバ６は，並べて配置され，互いに接続されおり，両者が直接接続されることで，組み立てを簡単に実行することができ，ＬＥＤドライバ６と無線通信回路５との間の通信を確実にできる，
　照明装置。」
イ．甲第２号証
　甲第２号証には，図面と共に以下の事項が記載されている。
・「【技術分野】
【０００１】
本発明は，照明装置及び位置情報管理システムに関する。」
・「【００４４】 図４は，本発明の一実施形態における照明器具１００が取り付けられる照明器具の外観構成を例示する図である。図４に示す様に，照明装置１５０は，直管型のランプであり，照明器具本体１３０に取り付けられる。 【００４５】 照明器具本体１３０は，例えば部屋の天井等に設けられる。照明器具本体１３０は，天井等に取り付けられる本体１３５と，照明装置１５０の端部がそれぞれ装着される第１ソケット１３１と第２ソケット１３３とを有する。第１ソケット１３１は，照明装置１５０に給電する給電端子１３２を有する。また，第２ソケット１３３は，照明装置１５０に給電する給電端子１３４を有する。照明器具本体１３０は，第１ソケット１３１及び第２ソケット１３３に両端部が装着される照明装置１５０に，内部に設けられている電源供給部から給電端子１３２，１３４を介して電源を供給する。なお，照明器具本体１３０は，例えば球型等の他の形状のランプが取り付けられる構成であっても良い。」
・図４には以下の内容が示されている。
（２）当審の判断
ア．本件発明１について
（ア）本件発明と甲１発明とを対比すると，後者の「照明装置」は前者の「発光ユニット」に相当し，以下同様に，「ＬＥＤ９」は「半導体発光素子」に，「アンテナ４」は「アンテナ」に，「無線通信回路５」は「無線制御部」に，それぞれ相当する。　
（イ）後者の「複数のＬＥＤ９が配置された光エンジン８」は，甲１の請求項４の「照明アセンブリは，回路基板と，前記回路基板の片面上に配置された複数のLEDとを備える」との記載と図２を参照すると，前者の「複数の半導体発光素子が実装される発光素子基板」に相当する。
（ウ）後者の「ＬＥＤドライバ６」は，ドライバであるから，前者の「前記複数の半導体発光素子の電力供給源である電源部と，前記半導体発光素子の発光に関する制御を行う制御部」に相当する。
（エ）後者の「ヒートシンク７」は図３の実施形態と同様に通常「金属材料で作られる」から前者の「金属製の支持部材」とは「金属製の部材」において共通する。
（オ）後者の「光エンジン８」は「ヒートシンク７に対して複数のＬＥＤ９が配置された側と同じ側に位置しており」，「ＬＥＤドライバ６及び無線通信回路５は「ヒートシンク７に対して複数のＬＥＤ９が配置された側と反対側に」「位置して」いるから，後者の「ヒートシンク」と前者の「前記発光素子基板が取り付けられる第１面と，当該第１面の反対面である第２面であって，前記電源部および前記制御部が設けられる第２面とを有する金属製の支持部材」とは，「前記発光素子基板が存在する側である第１面と，当該第１面の反対面である第２面であって，前記電源部および前記制御部が存在する側である第２面とを有する金属製の部材」において共通する。
（カ）後者の「照明装置」は「複数のＬＥＤ９」と「光エンジン８」と「ＬＥＤドライバ６」と「ヒートシンク７」を備えることは明らかである。
（キ）後者の「アンテナ４」は「無線信号を受信するための」ものであり，後者の「無線通信回路５」は「無線通信回路５の一部分が端部キャップ２内に位置し，一部分が照明装置を制御すべくアンテナを管１の内部のＬＥＤドライバ６へと接続する」ものであるから，前者の「信号を受信するアンテナと，前記アンテナで受信した信号に応じて前記電源部から供給される電力を制御する無線制御部」に相当し，この「アンテナ４」，「無線通信回路５」及び「ＬＥＤドライバ６」は前者の「前記制御部は，信号を受信するアンテナと，前記アンテナで受信した信号に応じて前記電源部から供給される電力を制御する無線制御部とを有」することに相当する。
（ク）後者の「無線通信回路５が無線通信回路基板上に形成され，アンテナ４が無線通信回路基板に接続され」ることは，前者の「前記無線制御部は基板状であり，前記アンテナは前記無線制御部の基板に実装されて」いることに相当する。
（ケ）後者の「ＬＥＤドライバ６及び無線通信回路５」は「ヒートシンク７に対して複数のＬＥＤ９が配置された側と反対側に」「位置して」おり，「無線通信回路５の一部分が端部キャップ２内に位置し，一部分が照明装置を制御すべくアンテナを管１の内部のＬＥＤドライバ６へと接続するように管１内に位置して」いるから，前者の「前記無線制御部は，前記支持部材と離間する状態で第1筐体の内部に配置され，前記電源部は，前記第１筐体と離間する第２筐体の内部に配され」ていることとは，「前記無線制御部は，前記部材と離間する状態で一部が第１部材の内部に配置され」ていることにおいて共通する。
（コ）そうすると，両者は，
「発光ユニットと，
　複数の半導体発光素子と，
　複数の半導体発光素子が実装される発光素子基板と，
　前記複数の半導体発光素子の電力供給源である電源部と，
　前記半導体発光素子の発光に関する制御を行う制御部と，
　前記発光素子基板が存在する側である第１面と，当該第１面の反対面である第２面であって，前記電源部および前記制御部が存在する側である第２面とを有する金属製の部材と，を備え，
　前記制御部は，信号を受信するアンテナと，前記アンテナで受信した信号に応じて前記電源部から供給される電力を制御する無線制御部とを有し，
　前記無線制御部は基板状であり，前記アンテナは前記無線制御部の基板に実装されており，
　前記無線制御部は，前記部材と離間する状態で一部が第１部材の内部に配置されている，
　発光ユニット。」
において一致し，以下の各点において相違すると認められる。
＜相違点１＞
　発光ユニットと無線制御部に関して，本件発明１では，「造営材に取り付けられた器具本体に取り付けられる発光ユニット」であり，「前記無線制御部は，前記器具本体を前記造営材に取り付けるための吊りボルトと干渉しない位置に配置されている」のに対して，甲１発明では，そのような特定はなされていない点。
＜相違点２＞
　前記発光素子基板が存在する側である第１面と，当該第１面の反対面である第２面であって，前記電源部および前記制御部が存在する側である第２面とを有する金属製の部材に関して，本件発明１では，前記発光素子基板が「取り付けられる」第１面と，当該第１面の反対面である第２面であって，前記電源部および前記制御部が「設けられる」第２面とを有する金属製の「支持」部材であるのに対して，甲１発明では，「複数のＬＥＤ９が配置された光エンジン８が，ヒートシンク７に対して複数のＬＥＤ９が配置された側と同じ側に位置しており，ヒートシンク７に対して複数のＬＥＤ９が配置された側と反対側には，ＬＥＤドライバ６及び無線通信回路５が位置して」いる点。
＜相違点３＞
　前記無線制御部と前記電源部に関して，本件発明１では，前記無線制御部は，前記支持部材と離間する状態で「第1筐体の」内部に配置され，「前記電源部は，前記第１筐体と離間する第２筐体の内部に配され」ているのに対して，甲１発明では，「ヒートシンク７に対して複数のＬＥＤ９が配置された側と反対側には，ＬＥＤドライバ６及び無線通信回路５が位置しており」，「無線通信回路５の一部分が端部キャップ２内に位置し，一部分が照明装置を制御すべくアンテナを管１の内部のＬＥＤドライバ６へと接続するように管１内に位置して」いる点。
（サ）相違点の判断
　上記相違点１から３は，実質的な相違点であるから，本件発明１は，甲１発明ではない。
　次に，まず，事案に鑑み，相違点３を先に検討する。
　甲第１号証の図３の実施形態では，LEDドライバ６は，ヒートシンク７のアーチ型の構造に面する取り付け面の一方側に固定され，複数のLED９を有する光エンジン８は，取り付け面の他方側に固定されるから，金属材料で作られたヒートシンク７は「金属製の支持部材」といえる。
　そして，甲第１号証の図３の実施形態は，ヒートシンク７の平面の下側には，無線通信回路５が離れて位置しているものであり，一方側がアンテナ４に接続された無線通信回路５を，完全に端部キャップ２内に配置し又は無線通信回路５の一部分を端部キャップ２内に配置し，及び，無線通信回路５の他方側は，管１の内部のLEDドライバ６に接続されるものであり，無線通信回路５（無線制御部）は，ヒートシンク７（前記支持部材）と離間する状態でヒートシンク７内部に配置されるものではあるが，LEDドライバ６（電源部）はヒートシンク７と離間する第２筐体内部に配置されるものではない。
　したがって，その他の相違点を検討するまでもなく，本件発明１は，甲１発明及び甲第１号証に記載された事項に基いて当業者が容易に発明をすることができたものであるとはいえない。
　また，甲第２号証にも，上記（１）イ．から明らかなように，相違点３に係る本件発明１の構成は記載されていない。
イ．本件発明２〜４について
　本件発明２，３は，本願発明１の発明特定事項を全て含み，さらに請求項２，３で特定された事項でさらに限定して発明を特定するものであるから，本願発明２，３については，上記ア．で本件発明１について示したのと同じ理由により，甲１発明，及び，甲第１号証に記載された事項に基いて当業者が容易に発明をできたものであるとはいえない。
　本件発明４は，本願発明１の発明特定事項を全て含み，さらに請求項４で特定された事項でさらに限定して発明を特定するものであるから，本願発明４については，甲１発明，甲第１号証に記載された事項，及び，甲第２号証に記載された事項に基いて，当業者が容易に発明をできたものであるとはいえない。
３．特許法第２９条の２について（＜理由３＞）
（１）甲第３号証の記載
　先願（甲第３号証）には，図面と共に以下の事項が記載されている
・「【技術分野】
【０００１】
　本発明は，光源ユニットおよび照明器具に関し，特に，無線通信が可能な光源ユニットおよびそれを備えた照明器具に関する。」
・「【００１６】
　以下，本実施形態の光源ユニット１０について詳細に説明する。
【００１７】
　
光源部１は，発光素子１ａと，発光素子１ａを電気的に接続する実装基板１ｂと，を備え
発光素子１ａは，ＬＥＤ
を用い
【００１８】
　実装基板１ｂは，長尺，かつ平板状の外形形状をしている。
実装基板１ｂは，
長手方向に沿って，複数の発光素子１ａが実装され
【００１９】
　支持部材４は，長尺の外形形状をしている。支持部材４は，たとえば，鋼板を用いて形成することができる。」
・「【００２２】
　
光源ユニット１０は，金属材料より形成された支持部材４に実装基板１ｂを当接させて支持させ
・「【００２７】
　本実施形態の光源ユニット１０では，カバー部材５は，光源部１からの光を透過させる透光性を有している。カバー部材５は，カバー部材５の外底面５ａａより，光源部１からの光を外部に出射させる。光源ユニット１０は，カバー部材５が光源部１からの光を透過させる透光性を有していることで，光源部１の光利用効率の低下を抑制することができる。カバー部材５は，発光素子１ａから放射された光を効率よく透過できる構成が好ましい。カバー部材５は，電波の透過性の高い材料を用いることが好ましい。カバー部材５は，たとえば，ポリカーボネート樹脂やアクリル樹脂などの樹脂材料を用いて形成することができる。カバー部材５は，たとえば，射出成形により形成することができる。カバー部材５は，透光性の樹脂材料に光拡散材を含有させてもよい。」
・「【００２９】
　
無線通信部２は，支持部材４に取り付けられ
無線通信部２は，アンテナ部２ａと通信回路部２ｂとを用いて，無線通信を行うことができるように構成され
無線通信部２は，アンテナ部２ａと通信回路部２ｂとに加え，回路基板６と，回路基板６を収容する収容ケース７と，を備え
【００３０】
　回路基板６は，平板状の外形形状をしている。回路基板６は，たとえば，プリント配線板を用いることができる。
回路基板６は，アンテナ部２ａが設けられる第１領域６ｃａと，通信回路部２ｂが設けられる第２領域６ｃｂとを有し
回路基板６は，アンテナ部２ａで受信された通信信号を通信回路部２ｂに入力することができ
【００３１】
　アンテナ部２ａは，たとえば，回路基板６における所定形状の配線６ａを用いて形成させることができる。所定形状の配線６ａとしては，たとえば，図１に示すように，配線６ａを折り曲げて形成させた迂回配線などが挙げられる。アンテナ部２ａは，回路基板６の厚み方向の一面だけに設けてもよいし，両面に設けてもよい。アンテナ部２ａは，回路基板６の配線６ａを利用して形成した構成だけに限られず，回路基板６とは別途に形成させてもよい。アンテナ部２ａは，回路基板６の配線６ａを利用して形成する場合，回路基板６と別途にアンテナ部２ａを形成する構造と比較して，アンテナ部２ａの部品コストを抑制し安価に構成することができる。アンテナ部２ａは，回路基板６と別途に形成させる場合，回路基板６の第１領域６ｃａに適宜に固定させればよい。通信回路部２ｂは，たとえば，水晶発振器，マイクロコンピュータなどの電子部品６ｄを搭載して，電波の送信または受信の少なくともいずれか一方を行うことができるように構成されている。」
・「【００４２】
　
光源ユニット１０は，光源部１と無線通信部２と保持体３とに加え，
点灯ユニット８を備え
【００４３】
　点灯ユニット８は，光源部１および無線通信部２と電気的に接続されている。
点灯ユニット８は，光源部１の点灯を制御する制御部と，光源部１や無線通信部２に給電する電源部とを備え
点灯ユニット８は，無線通信部２からの信号に基づいて，光源部１の点灯を制御することができ
【００４４】
　
点灯基板８ａは
電源部が交流電圧を直流電圧に変換するように構成され
点灯ユニット８は，支持部材４における光源部１と反対側に保持され
外部からの電力が点灯ユニット８に給電されるように構成され
点灯基板８ａには，複数種の電装部品８ｂが実装され
【００４５】
　
電装部品８ｂは，点灯ユニット８を構成する各種の回路を構成するために用いられ
各種の回路としては，
昇圧回路，降圧回路，主制御回路，制御電源回路，調光制御回路，消灯制御回路などが挙げられる
【００４６】
　
ハウジング部８ｃは，一面に開口が形成された矩形箱状の外形形状をしてい
点灯ユニット８は，点灯基板８ａを収容したハウジング部８ｃが支持部材４に取り付けられるように構成され
・「【００５７】
 光源ユニット１０の組立工程では，発光素子１ａを実装基板１ｂに実装してあらかじめ光源部１を準備している。組立工程では，実装基板１ｂが実装された支持部材４の取付部４ａと反対側に，無線通信部２および点灯ユニット８が取り付けられる。」
・「【００６１】
　
照明器具３０は
光源ユニット１０と，光源ユニット１０を保持する器具本体３１と，を備え
・「【００６３】
　照明器具３０は，たとえば，天井材に直付けされるように構成されている。
器具本体３１は，吊りボルトを用いて，天井材に取り付けられ
・「【００６５】
　底面部３１ａには，
吊りボルトを通すボルト挿通孔３１ｃｂが設けられている
ボルト挿通孔３１ｃｂは，器具本体３１の長手方向に沿って，４つ設けられている
・図１〜図４には，以下の内容が示されている。
 
【図１】
【図２】
【図３】
・段落【００３０】の下線部の記載事項と図１の図示内容からみて，アンテナ部２ａが設けられている第１領域６ｃａは，支持部材４の発光素子１ａが取り付けられている側であること，及び，通信回路部２ｂが設けられている第２領域６ｃｂは支持部材４の発光素子１ａが取り付けられている側とは反対側であることが理解できる。
・段落【００２９】の下線部の記載事項と図２の図示内容からみて，回路基板６に実装された通信回路部２ｂは，支持部材４と離間する状態で収容ケース７に収容されていることが理解できる。
・図４の図示内容からみて，ハウジング部８ｃと収容ケース７とは離間していることが理解できる。
・段落【００６５】の下線部の記載事項と図４の図示内容からみて，無線通信部２の通信回路部２ｂを収容した収容ケース７と吊りボルトが挿通するボルト挿通孔３１ｃｂが外れた位置に配置されていることが理解できる。
　これらの事項からみて，甲第３号証には，以下の発明（以下，「先願発明３」という。）が記載されていると認められる。
 「照明器具３０は，光源ユニット１０と，光源ユニット１０を保持する器具本体３１と，を備え，器具本体３１は，吊りボルトを用いて，天井材に取り付けられ，
　光源ユニット１０は，光源部１と無線通信部２と保持体３とに加え，点灯ユニット８を備え，
　光源部１は，発光素子１ａと，発光素子１ａを電気的に接続する実装基板１ｂと，を備え，
　発光素子１ａは，ＬＥＤを用い，実装基板１ｂは，長手方向に沿って，複数の発光素子１ａが実装され，
　光源ユニット１０は，金属材料より形成された支持部材４に実装基板１ｂを当接させて支持させ，
　点灯ユニット８は，光源部１の点灯を制御する制御部と，光源部１や無線通信部２に給電する電源部とを備え，点灯ユニット８は，無線通信部２からの信号に基づいて，光源部１の点灯を制御することができ，
　点灯ユニット８は，支持部材４における光源部１と反対側に保持され，
　外部からの電力が点灯ユニット８に給電されるように構成され，点灯基板８ａには，複数種の電装部品８ｂが実装され，電装部品８ｂは，点灯ユニット８を構成する各種の回路を構成するために用いられ，各種の回路としては，昇圧回路，降圧回路，主制御回路，制御電源回路，調光制御回路，消灯制御回路などが挙げられ，
　無線通信部２は，支持部材４に取り付けられ，無線通信部２は，アンテナ部２ａと通信回路部２ｂとを用いて，無線通信を行うことができるように構成され，無線通信部２は，アンテナ部２ａと通信回路部２ｂとに加え，回路基板６と，回路基板６を収容する収容ケース７と，を備え，回路基板６に実装された通信回路部２ｂは，支持部材４と離間する状態で収容ケース７に収容され，
　回路基板６は，アンテナ部２ａが設けられる第１領域６ｃａと，通信回路部２ｂが設けられる第２領域６ｃｂとを有し，アンテナ部２ａが設けられている第１領域６ｃａは，支持部材４の発光素子１ａが取り付けられている側であり，通信回路部２ｂが設けられている第２領域６ｃｂは支持部材４の発光素子１ａが取り付けられている側とは反対側であり，回路基板６は，アンテナ部２ａで受信された通信信号を通信回路部２ｂに入力することができ，
　点灯基板８ａは，電源部が交流電圧を直流電圧に変換するように構成され，ハウジング部８ｃは，一面に開口が形成された矩形箱状の外形形状をしており，点灯ユニット８は，点灯基板８ａを収容したハウジング部８ｃが支持部材４に取り付けられるように構成され，ハウジング部８ｃと収容ケース７とは離間しており，
　無線通信部２の通信回路部２ｂを収容した収容ケース７と吊りボルトが挿通するボルト挿通孔３１ｃｂが外れた位置に配置されている，
　光源ユニット１０。」
（２）当審の判断
（２−１）本件発明１について
ア．対比
（ア）本件発明１と先願発明３とを対比すると，後者の「天井材」は前者の「造営材」に相当し，以下同様に，「器具本体３１」は「器具本体」に，「光源ユニット１０」は「発光ユニット」に，「発光素子１ａ」は「ＬＥＤを用い」ているから「半導体発光素子」に，「実装基板１ｂ」は「発光素子基板」に，「電源部」は「電源部」に，「制御部」及び「無線通信部２」を合わせたものは「制御部」に，「支持部材４」は「金属材料により形成され」ているから「金属製の支持部材」又は「支持部材」に，「支持部材４の発光素子１ａが取り付けられている側」は「第１面」に，「支持部材４の発光素子１ａが取り付けられている側とは反対側」は「第２面」に，「通信信号」は「信号」に，「アンテナ部２ａ」は「アンテナ」に，「通信回路部２ｂ」は「無線制御部」に，通信回路部２ｂが実装された「回路基板６」は「無線制御部の基板」に，「収容ケース７」は「第１筐体」に，「ハウジング部８ｃ」は「第２筐体」に，それぞれ相当する。
（イ）後者の「光源ユニット１０」は，「器具本体３１」に「保持」されるとともに，「器具本体３１は，吊りボルトを用いて，天井材に取り付けられ」ているから，上記（ア）の相当関係を踏まえると，前者の「造営材に取り付けられた器具本体に取り付けられる発光ユニット」に相当する。
（ウ）後者の「複数の発光素子１ａ」は，上記（ア）の相当関係を踏まえると，前者の「複数の半導体発光素子」に相当し，後者の「実装基板１ｂ」は「複数の発光素子１ａが実装され」るから，上記（ア）の相当関係を踏まえると，前者の「前記複数の半導体発光素子が実装される発光素子基板」に相当する。
（エ）後者の「電源部」は「光源部１や無線通信部２に給電」し，「光源部１は，発光素子１ａと，」「を備え」ているから，前者の「前記複数の半導体発光素子の電力供給源である電源部」に相当する。
（オ）後者の「光源部１の点灯を制御する制御部」と，「アンテナ部２ａと通信回路部２ｂとを用いて，無線通信を行う」「無線通信部２」は，上記（ア）の相当関係を踏まえると，前者の「前記半導体発光素子の発光に関する制御を行う制御部」に相当する。
（カ）後者は「無線通信部２は，アンテナ部２ａと通信回路部２ｂとを用いて，無線通信を行うことができるように構成され，無線通信部２は，アンテナ部２ａと通信回路部２ｂとに加え，回路基板６と，回路基板６を収容する収容ケース７と，を備え」，「回路基板６は，アンテナ部２ａで受信された通信信号を通信回路部２ｂに入力することができ」，「点灯ユニット８は，光源部１の点灯を制御する制御部と，光源部１や無線通信部２に給電する電源部とを備え，点灯ユニット８は，無線通信部２からの信号に基づいて，光源部１の点灯を制御することができ」るものであるところ，後者の「無線通信部２」は「通信信号を」「受信」する「アンテナ部２ａ」と，「アンテナ部２ａ」で「受信」した「通信信号」に応じて「電源部」から「給電」された電力を制御する「通信回路部２ｂ」を「備え」ているといえるから，上記（ア）の相当関係を踏まえると，前者の「前記制御部は，信号を受信するアンテナと，前記アンテナで受信した信号に応じて前記電源部から供給される電力を制御する無線制御部とを有」することに相当する。
（キ）後者は「アンテナ部２ａが設けられている第１領域６ｃａは，支持部材４の発光素子１ａが取り付けられている側であり」，「通信回路部２ｂが設けられている第２領域６ｃｂは支持部材４の発光素子１ａが取り付けられている側とは反対側であり」，「点灯ユニット８は，光源部１の点灯を制御する制御部と，光源部１や無線通信部２に給電する電源部とを備え」，「点灯ユニット８は，支持部材４における光源部１と反対側に保持され」るものであるところ，後者の「電源部」と「制御部」と「通信回路部２ｂ」は「支持部材４の発光素子１ａが取り付けられている側とは反対側」に設けられているといえるが，前者の「制御部」の一部分を構成する「アンテナ」に相当する後者の「アンテナ部２ａ」は「支持部材４の発光素子１ａが取り付けられている側」に設けられているから，前者の「前記発光素子基板が取り付けられる第１面と，当該第１面の反対面である第２面であって，前記電源部および前記制御部が設けられる第２面とを有する金属製の支持部材」とは，上記（ア）の相当関係を踏まえると，「前記発光素子基板が取り付けられる第１面と，当該第１面の反対面である第２面であって，前記電源部および前記制御部の一部が設けられる第２面とを有する金属製の支持部材」において共通する。
（ク）後者の「光源ユニット１０」が，「複数の発光素子１ａ」と，「実装基板１ｂ」と，「電源部」と，「光源部１の点灯を制御する制御部」と「無線通信部２」と，「支持部材４」とを，備えることは，明らかである。
（ケ）後者の「通信回路部２ｂ」は「回路基板６に実装され」，「回路基板６は，アンテナ部２ａが設けられる第１領域６ｃａと，通信回路部２ｂが設けられる第２領域６ｃｂとを有」するから，上記（ア）の相当関係を踏まえると，前者の「前記無線制御部は基板状であり，前記アンテナは前記無線制御部の基板に実装されて」いることに相当する。
（コ）後者の「回路基板６に実装された通信回路部２ｂは，支持部材４と離間する状態で収容ケース７に収容され」ていることは，上記（ア）の相当関係を踏まえると，「前記無線制御部は，前記支持部材と離間する状態で第1筐体の内部に配置され」ていることに相当する。
（サ）後者は「点灯基板８ａは，電源部が交流電圧を直流電圧に変換するように構成され，」「点灯ユニット８は，点灯基板８ａを収容したハウジング部８ｃが支持部材４に取り付けられるように構成され，ハウジング部８ｃと収容ケース７とは離間して」いるものであるところ，後者の「電源部」は「収容ケース７」と「離間」する「ハウジング部８ｃ」に「収容」されているから，上記（ア）の相当関係を踏まえると，前者の「前記電源部は，前記第１筐体と離間する第２筐体の内部に配され」ることに相当する。
（シ）後者の「無線通信部２の通信回路部２ｂを収容した収容ケース７と吊りボルトが挿通するボルト挿通孔３１ｃｂが外れた位置に配置されている」ことは，上記（ア）の相当関係を踏まえると，前者の「前記無線制御部は，前記器具本体を前記造営材に取り付けるための吊りボルトと干渉しない位置に配置されている」ことに相当する。
（ス）そうすると，両者は，
「造営材に取り付けられた器具本体に取り付けられる発光ユニットであって，
　複数の半導体発光素子と，
　前記複数の半導体発光素子が実装される発光素子基板と，
　前記複数の半導体発光素子の電力供給源である電源部と，
　前記半導体発光素子の発光に関する制御を行う制御部と，
　前記発光素子基板が取り付けられる第１面と，当該第１面の反対面である第２面であって，前記電源部および前記制御部の一部が設けられる第２面とを有する金属製の支持部材と，を備え，
　前記制御部は，信号を受信するアンテナと，前記アンテナで受信した信号に応じて前記電源部から供給される電力を制御する無線制御部とを有し，
　前記無線制御部は基板状であり，前記アンテナは前記無線制御部の基板に実装されており，
　前記無線制御部は，前記支持部材と離間する状態で第１筐体の内部に配置され，
　前記電源部は，前記第１筐体と離間する第２筐体の内部に配され，
　前記無線制御部は，前記器具本体を前記造営材に取り付けるための吊りボルトと干渉しない位置に配置されている，
　発光ユニット。」
の点で一致し，以下の点で相違すると認められる。
＜相違点＞
　前記発光素子基板が取り付けられる第１面と，当該第１面の反対面である第２面であって，前記電源部および前記制御部の一部が設けられる第２面とを有する金属製の支持部材に関して，本件発明１では，前記電源部および「前記制御部」が設けられる第２面であるのに対して，先願発明３では，「電源部」と「制御部」と「通信回路部２ｂ」は「支持部材４の発光素子１ａが取り付けられている側とは反対側」に設けられているといえるが，「アンテナ部２ａ」は「支持部材４の発光素子１ａが取り付けられている側」に設けられている点。
イ．相違点の判断
　先願発明３は，本件発明１の「制御部」の一部分を構成する「アンテナ」に相当する「アンテナ部２ａ」が第２面でなく第１面に設けられていることから，本件発明１の「制御部」が第２面に設けられる構成と実質的に相違し，「制御部」全体が第２面に設けられる構成は，周知の技術ともいえないし，上記相違点の本件発明１に係る構成により，半導体発光素子からの照射光を実質的に低減させずに，アンテナ受信感度を維持できる，「薄型の発光ユニット」を構成できるという新たな作用効果を奏する（本件特許の願書に添付した明細書の段落【０００８】を参照のこと。）。
　そうすると，本件発明１と先願発明３は，実質的に同一とはいえないから，特許法第２９条の２の規定に違反してなされたものではない。
第６　むすび
　以上のとおりであるから，取消理由通知に記載した取消理由及び特許異議申立書に記載した特許異議申立理由によっては，本件発明１〜４に係る特許を取り消すことはできない。
　また，他に本件発明１〜４に係る特許を取り消すべき理由を発見しない。
　よって，結論のとおり決定する。
【異議決定日】
令和３年９月１４日（２０２１．９．１４）
【訂正の要旨】
審決（決定）の【理由】欄参照。
（５７）【特許請求の範囲】
　【請求項１】
　
造営材に取り付けられた器具本体に取り付けられる発光ユニットであって、
　複数の半導体発光素子と、
　前記複数の半導体発光素子が実装される発光素子基板と、
　前記複数の半導体発光素子の電力供給源である電源部と、
　前記半導体発光素子の発光に関する制御を行う制御部と、
　前記発光素子基板が取り付けられる第１面と、当該第１面の反対面である第２面であって、前記電源部および前記制御部が設けられる第２面とを有する金属製の支持部材と、を備え、
　前記制御部は、信号を受信するアンテナと、前記アンテナで受信した信号に応じて前記電源部から供給される電力を制御する無線制御部とを有し、
　前記無線制御部は基板状であり、前記アンテナは前記無線制御部の基板に実装されており、
　前記無線制御部は
、前
する状態で第１筐体の内部に配置され、
　
前記電源部は、前記第１筐体と離間する第２筐体の内部に配され、
　
前記無線制御部は、前記器具本体を前記造営材に取り付けるための吊りボルトと干渉しない位置に配置されている
　発光ユニット。
　【請求項２】
　前記無線制御部の基板面方向は、前記支持部材の前記第１面方向に沿っている、
　請求項１に記載の発光ユニット。
　【請求項３】
　前記無線制御部の基板面方向は、前記支持部材の前記第１面方向と平行である、
　請求項２に記載の発光ユニット。
　【請求項４】
　請求項１から３のいずれか１項に記載の発光ユニットと、前記発光ユニットが取り付けられる器具本体とを備える照明装置であって、
　前記器具本体は、造営材に取り付けられる取付部材を有する、
　照明装置。